(57)【要約】【課題】ウェブサイトの表示態様が記述された情報を無視した場合に発生する情報の欠落をふせぐこと。【解決手段】ＨＴＭＬ及びＣＳＳを含むウェブサイトの情報を記憶している画面情報記憶部１６２と、記憶されているウェブサイトの情報を、要求に応じて読み出して出力する入出力要求処理部１６１とを含む画像形成装置１であって、ＨＴＭＬは、画面上の特定の領域に表示するべき内容の情報であって所定の識別子が付された情報と、特定の領域の表示形式としてＣＳＳに含まれる記述を指定する情報とを含み、ＣＳＳは、ＨＴＭＬによる指定を受けるための情報と、特定の領域における表示を指定する情報と、ＨＴＭＬにおいて所定の識別子が付された情報を非表示とする命令とを含むことを特徴とする。【選択図】図７
2012014626.tif 000002
【特許請求の範囲】
【請求項１】
主として画面に表示するべき内容の情報が記述された画面内容情報及び主として前記画面の表示形式の情報が記述された表示形式情報を含む画面記述情報を記憶している画面情報記憶部と、
記憶されている前記画面記述情報を、要求に応じて読み出して出力する画面情報出力部とを含む画面情報出力装置であって、
前記画面内容情報は、画面上の特定の領域に表示するべき内容の情報であって所定の識別子が付された情報と、前記特定の領域の表示形式として前記表示形式情報に含まれる記述を指定する情報とを含み、
前記表示形式情報は、前記画面内容情報による指定を受けるための情報と、前記特定の領域における表示を指定する情報と、前記所定の識別子が付された情報を非表示とする命令とを含み、
前記画面記述情報に基づいて画面が表示される際、前記特定の領域においては、前記表示形式情報が有効であれば、前記表示形式情報における指定に従った表示がされると共に前記画面内容情報において所定の識別子が付された情報は非表示となり、前記表示形式情報が無効であれば、前記表示形式情報における指定が無視されると共に、前記画面内容情報において所定の識別子が付された情報が表示されることを特徴とする画面情報出力装置。
【請求項２】
前記表示形式情報が有効であるか無効であるかを示す表示形式情報管理情報を取得する表示形式情報管理情報取得部を更に含み、
前記画面情報出力部は、前記取得された表示形式情報管理情報において前記表示形式情報が無効であることが示されている場合に、前記要求に応じて読み出した画面記述情報を、前記表示形式情報における指定が無視されると共に、前記画面内容情報において所定の識別子が付された情報が表示されるように変換することを特徴とする請求項１に記載の画面情報出力装置。
【請求項３】
ユーザを認証するユーザ認証処理部と、
ユーザ毎に前記表示形式情報が有効であるか無効であるかを示す表示形式情報管理情報を記憶しているユーザ情報記憶部とを更に含み、
前記表示形式情報管理情報取得部は、前記認証されたユーザから前記画面記述情報の要求があった場合に、前記認証されたユーザの表示形式情報管理情報を取得することを特徴とする請求項２に記載の画面情報出力装置。
【請求項４】
前記画面情報記憶部は、複数の画面についての画面記述情報を記憶しており、
前記ユーザ情報記憶部は、前記複数の画面毎に前記表示形式情報が有効であるか無効であるかを示す表示形式情報管理情報を記憶していることを特徴とする請求項３に記載の画面情報出力装置。
【請求項５】
前記画面内容情報は、画面における前記表示形式情報の有効と無効とを切り替えるための操作部を表示するための情報を含むことを特徴とする請求項１乃至４いずれかに記載の画面情報出力装置。
【請求項６】
前記画面内容情報は、前記画面における前記表示形式情報の有効と無効とが切り替えられた場合に、前記表示形式情報が有効であるか無効であるかを示す情報を格納させる命令を含み、
前記画面における前記表示形式情報の有効と無効とが切り替えられた場合に、画面が表示されている装置において参照可能な記憶領域に、前記表示形式情報が有効であるか無効であるかを示す情報が格納されることを特徴とする請求項５に記載の画面情報出力装置。
【請求項７】
前記画面内容情報は、前記画面記述情報に従って画面が表示される際に、前記画面が表示される装置において参照可能な記憶領域に格納された情報であって前記表示形式情報が有効であるか無効であるかを示す情報を参照させる命令と、前記参照させた情報に従って、前記表示形式情報の有効と無効とを切り替えて画面を表示させる命令とを含むことを特徴とする請求項６に記載の画面情報出力装置。
【請求項８】
画面情報出力装置が、画面上の特定の領域に表示するべき内容の情報であって所定の識別子が付された情報及び前記特定の領域の表示形式として表示形式情報に含まれる記述を指定する情報とを含む画面内容情報と、前記画面内容情報による指定を受けるための情報、前記特定の領域における表示を指定する情報及び前記所定の識別子が付された情報を非表示とする命令とを含む表示形式情報を含む画面記述情報を、要求に応じて読み出して出力し、
画面表示装置が、前記画面記述情報に基づいて画面が表示される際、前記特定の領域においては、前記表示形式情報が有効であれば、前記表示形式情報における指定に従った表示を行うと共に前記画面内容情報において所定の識別子が付された情報を非表示とし、前記表示形式情報が無効であれば、前記表示形式情報における指定を無視すると共に、前記画面内容情報において所定の識別子が付された情報を表示することを特徴とする画面表示方法。
【請求項９】
主として画面に表示するべき内容の情報が記述された画面内容情報及び主として前記画面の表示形式の情報が記述された表示形式情報を含む画面記述情報であって、
前記画面内容情報は、画面上の特定の領域に表示するべき内容の情報であって所定の識別子が付された情報と、前記特定の領域の表示形式として前記表示形式情報に含まれる記述を指定する情報とを含み、
前記表示形式情報は、前記画面内容情報による指定を受けるための情報と、前記特定の領域における表示を指定する情報と、前記所定の識別子が付された情報を非表示とする命令とを含み、
前記画面記述情報に基づいて画面が表示される際、前記特定の領域においては、前記表示形式情報が有効であれば、前記表示形式情報における指定に従った表示がされると共に前記画面内容情報において所定の識別子が付された情報は非表示となり、前記表示形式情報が無効であれば、前記表示形式情報における指定が無視されると共に、前記画面内容情報において所定の識別子が付された情報が表示されることを特徴とする画面記述情報。
【発明の詳細な説明】
【技術分野】
【０００１】
本発明は、画面情報出力装置、画面情報出力方法及び画面記述情報に関し、特に、画面の内容を記述する情報とは別に画面の表示形式を記述する情報が含まれる場合の画面表示の制御に関する。
【背景技術】
【０００２】
ウェブサイトの表示においては、アイコン等の画像を用いることや、表示欄を色分けすること等により、視覚的効果を向上することが一般的に行われている。他方、弱視者や色覚障害者がウェブサイトを閲覧する際の判読性を向上するため、情報処理装置には、上述したような視覚的効果を無効化したハイコントラストモードと呼ばれる表示モードが設けられている。
【０００３】
このハイコントラストモードにおいては、ウェブサイトの表示態様が記述された情報の一部を無視してウェブサイトを表示することにより、例えば背景を“黒”とし、文字色を“白”とする。これにより、背景色と文字色とのコントラストが明確になり、弱視者や色覚障害者であっても、ウェブサイトを判読することが可能となる。
【０００４】
他方、ウェブページの判読性を向上するため、ウェブページの一部にＣＳＳ（Ｃａｓｃａｄｉｎｇ  Ｓｔｙｌｅ  Ｓｈｅｅｔｓ）のクラスを指定しておき、更に、ＨＴＭＬ（Ｈｙｐｅｒ  Ｔｅｘｔ  Ｍａｒｋｕｐ  Ｌａｎｇｕａｇｅ）ファイルにＪａｖａＳｃｒｉｐｔ（登録商標）を埋め込むことにより、ユーザが指定した箇所における表示文字のサイズや行間を適正なレイアウトに切り替えて拡大表示することが提案されている（例えば、特許文献１参照）。
【発明の概要】
【発明が解決しようとする課題】
【０００５】
一般的に用いられているハイコントラストモードにおいては、上述したように、ウェブサイトの表示態様が記述された情報であるスタイルシートを無効化することにより、背景色と文字色とのコントラストを明確化していた。しかしながら、ウェブサイト上に表示するべき画像がスタイルシート上で指定されている場合、その画像の指定まで無効になってしまい、結果的に情報が欠落したウェブサイトの表示となってしまうことがあり得る。
【０００６】
特許文献１に開示された技術においては、ＣＳＳクラス及びＪａｖａＳｃｒｉｐｔ（登録商標）を用いることが前提となっている。従って、上述したように、表示するべき画像がスタイルシート上で指定されている場合の情報の欠落を解決することはできない。
する必要がある。
【０００７】
本発明は、上記課題を解決するためになされたものであり、ウェブサイトの表示態様が記述された情報を無視した場合に発生する情報の欠落をふせぐことを目的とする。
【課題を解決するための手段】
【０００８】
上記課題を解決するために、本発明の一態様は、主として画面に表示するべき内容の情報が記述された画面内容情報及び主として前記画面の表示形式の情報が記述された表示形式情報を含む画面記述情報を記憶している画面情報記憶部と、記憶されている前記画面記述情報を、要求に応じて読み出して出力する画面情報出力部とを含む画面情報出力装置であって、前記画面内容情報は、画面上の特定の領域に表示するべき内容の情報であって所定の識別子が付された情報と、前記特定の領域の表示形式として前記表示形式情報に含まれる記述を指定する情報とを含み、前記表示形式情報は、前記画面内容情報による指定を受けるための情報と、前記特定の領域における表示を指定する情報と、前記所定の識別子が付された情報を非表示とする命令とを含み、前記画面記述情報に基づいて画面が表示される際、前記特定の領域においては、前記表示形式情報が有効であれば、前記表示形式情報における指定に従った表示がされると共に前記画面内容情報において所定の識別子が付された情報は非表示となり、前記表示形式情報が無効であれば、前記表示形式情報における指定が無視されると共に、前記画面内容情報において所定の識別子が付された情報が表示されることを特徴とする。
【０００９】
ここで、前記表示形式情報が有効であるか無効であるかを示す表示形式情報管理情報を取得する表示形式情報管理情報取得部を更に含み、前記画面情報出力部は、前記取得された表示形式情報管理情報において前記表示形式情報が無効であることが示されている場合に、前記要求に応じて読み出した画面記述情報を、前記表示形式情報における指定が無視されると共に、前記画面内容情報において所定の識別子が付された情報が表示されるように変換することが好ましい。
【００１０】
また、ユーザを認証するユーザ認証処理部と、ユーザ毎に前記表示形式情報が有効であるか無効であるかを示す表示形式情報管理情報を記憶しているユーザ情報記憶部とを更に含み、前記表示形式情報管理情報取得部は、前記認証されたユーザから前記画面記述情報の要求があった場合に、前記認証されたユーザの表示形式情報管理情報を取得することが好ましい。
【００１１】
また、前記画面情報記憶部は、複数の画面についての画面記述情報を記憶しており、前記ユーザ情報記憶部は、前記複数の画面毎に前記表示形式情報が有効であるか無効であるかを示す表示形式情報管理情報を記憶していることが好ましい。
【００１２】
また、前記画面内容情報は、画面における前記表示形式情報の有効と無効とを切り替えるための操作部を表示するための情報を含むことが好ましい。
【００１３】
また、前記画面内容情報は、前記画面における前記表示形式情報の有効と無効とが切り替えられた場合に、前記表示形式情報が有効であるか無効であるかを示す情報を格納させる命令を含み、前記画面における前記表示形式情報の有効と無効とが切り替えられた場合に、画面が表示されている装置において参照可能な記憶領域に、前記表示形式情報が有効であるか無効であるかを示す情報が格納されることが好ましい。
【００１４】
また、前記画面内容情報は、前記画面記述情報に従って画面が表示される際に、前記画面が表示される装置において参照可能な記憶領域に格納された情報であって前記表示形式情報が有効であるか無効であるかを示す情報を参照させる命令と、前記参照させた情報に従って、前記表示形式情報の有効と無効とを切り替えて画面を表示させる命令とを含むことが好ましい。
【００１５】
他方、本発明の他の態様は、画面表示方法であって、画面情報出力装置が、画面上の特定の領域に表示するべき内容の情報であって所定の識別子が付された情報及び前記特定の領域の表示形式として表示形式情報に含まれる記述を指定する情報とを含む画面内容情報と、前記画面内容情報による指定を受けるための情報、前記特定の領域における表示を指定する情報及び前記所定の識別子が付された情報を非表示とする命令とを含む表示形式情報を含む画面記述情報を、要求に応じて読み出して出力し、画面表示装置が、前記画面記述情報に基づいて画面が表示される際、前記特定の領域においては、前記表示形式情報が有効であれば、前記表示形式情報における指定に従った表示を行うと共に前記画面内容情報において所定の識別子が付された情報を非表示とし、前記表示形式情報が無効であれば、前記表示形式情報における指定を無視すると共に、前記画面内容情報において所定の識別子が付された情報を表示することを特徴とする。
【００１６】
また、本発明の更に他の態様は、主として画面に表示するべき内容の情報が記述された画面内容情報及び主として前記画面の表示形式の情報が記述された表示形式情報を含む画面記述情報であって、前記画面内容情報は、画面上の特定の領域に表示するべき内容の情報であって所定の識別子が付された情報と、前記特定の領域の表示形式として前記表示形式情報に含まれる記述を指定する情報とを含み、前記表示形式情報は、前記画面内容情報による指定を受けるための情報と、前記特定の領域における表示を指定する情報と、前記所定の識別子が付された情報を非表示とする命令とを含み、前記画面記述情報に基づいて画面が表示される際、前記特定の領域においては、前記表示形式情報が有効であれば、前記表示形式情報における指定に従った表示がされると共に前記画面内容情報において所定の識別子が付された情報は非表示となり、前記表示形式情報が無効であれば、前記表示形式情報における指定が無視されると共に、前記画面内容情報において所定の識別子が付された情報が表示されることを特徴とする。
【発明の効果】
【００１７】
本発明によれば、ウェブサイトの表示態様が記述された情報を無視した場合に発生する情報の欠落をふせぐことができる。
【図面の簡単な説明】
【００１８】
【図１】本発明の実施形態に係るシステムの運用形態を示す図である。
【図２】本発明の実施形態に係る画像形成装置及びクライアント端末のハードウェア構成を模式的に示すブロック図である。
【図３】本発明の実施形態に係る画像形成装置の機能構成を示すブロック図である。
【図４】本発明の実施形態に係るＷＥＢ制御部の機能構成を示すブロック図である。
【図５】本発明の実施形態に係るクライアント端末の機能構成を示すブロック図である。
【図６】本発明の実施形態に係る画面記述情報に従って表示される画面の例を示す図である。
【図７】本発明の実施形態に係る画面記述情報の例を示す図である。
【図８】本発明の実施形態に係るシステムの動作を示すシーケンス図である。
【図９】本発明の他の実施形態に係るＷＥＢ制御部の機能構成を示すブロック図である。
【図１０】本発明の他の実施形態に係るユーザ情報記憶部に記憶されている情報の例を示す図である。
【図１１】本発明の他の実施形態に係るシステムの動作を示すシーケンス図である。
【図１２】本発明の他の実施形態に係るブラウザアプリのＣｏｏｋｉｅに記憶される情報の例を示す図である。
【図１３】本発明の他の実施形態に係るシステムの動作を示すシーケンス図である。
【発明を実施するための形態】
【００１９】
実施の形態１．
以下、図面を参照して、本発明の実施形態を詳細に説明する。本実施形態においては、ネットワークに接続されて動作するＭＦＰ（ＭｕｌｔｉＦｕｎｃｔｉｏｎ  Ｐｅｒｉｐｈｅｒａｌ：複合機）の管理画面を、ネットワークを介してＨＴＴＰ（ＨｙｐｅｒＴｅｘｔ  Ｔｒａｎｓｆｅｒ  Ｐｒｏｔｃｏｌ）により表示させるシステムを例として説明する。
【００２０】
図１は、本実施の形態に係るシステムの運用形態の例を示す図である。図１に示すように、本実施形態に係るシステムは、画像処理装置としての画像形成装置１ａ、１ｂ、１ｃ及びクライアント端末２ａ、２ｂが、ネットワークを介して接続されている。
【００２１】
画像形成装置１ａ、１ｂ、１ｃ（以降、総じて画像形成装置１とする）は、撮像機能、画像形成機能及び通信機能等を備えることにより、プリンタ、ファクシミリ、スキャナ、複写機として利用可能な複合機である。クライアント端末２ａ、２ｂ（以降、総じて画像形成装置２とする）は、ユーザが操作する情報処理端末であり、ＰＣ（Ｐｅｒｓｏｎａｌ  Ｃｏｍｐｕｔｅｒ）等の情報処理装置によって実現される。本実施形態に係るクライアント端末２は、画像形成装置１の管理画面を表示するための情報を、ネットワークを介して画像形成装置１から取得し、表示部に表示する。
【００２２】
次に、本実施形態に係る画像形成装置１及びクライアント端末２のハードウェア構成について説明する。図２は、本実施形態に係る画像形成装置１及びクライアント端末２のハードウェア構成を示すブロック図である。尚、画像形成装置１は、図２に示すハードウェア構成に加えて、スキャナ、プリンタ等を実現するためのエンジンを備える。以下の説明においては、画像形成装置１のハードウェア構成を例として説明するが、クライアント端末２についても同様である。
【００２３】
図２に示すように、本実施形態に係る画像形成装置１は、一般的なサーバやＰＣ等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２４】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２５】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス、タッチパネル等、ユーザが画像形成装置１に情報を入力するためのユーザインタフェースである。
【００２６】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０
が、そのプログラムに従って動作することにより、ソフトウェア制御部が構成される。このようにして構成されたソフトウェア制御部と、ハードウェアとの組み合わせによって、本実施形態に係る画像形成装置１やクライアント端末２の機能を実現する機能ブロックが構成される。
【００２７】
次に、本実施形態に係る画像形成装置１の機能構成について、図３を参照して説明する。図３は、本実施形態に係る画像形成装置１の機能構成を示すブロック図である。図３に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７及びネットワークＩ／Ｆ１０８を有する。
【００２８】
また、コントローラ１００は、主制御部１１０、エンジン制御部１２０、画像処理部１３０、操作表示制御部１４０、入出力制御部１５０及びＷＥＢ制御部１６０を含む。図３に示すように、本実施形態に係る画像形成装置１は、スキャナユニット１０２、プリントエンジン１０６を有する複合機として構成されている。尚、図３においては、電気的接続を実線の矢印で示しており、用紙若しくは文書束の流れを破線の矢印で示している。
【００２９】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェース（操作部）でもある。ディスプレイパネル１０４は、図２に示すＬＣＤ６０及び操作部７０によって実現される。
【００３０】
ネットワークＩ／Ｆ１０８は、画像形成装置１がネットワークを介してクライアント端末２等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０８は、図２に示すＩ／Ｆ５０によって実現される。また、ネットワークＩ／Ｆ１０８には、ＦＡＸモデムとしての機能も含まれ、画像形成装置１がネットワークを介してＦＡＸ送受信を行うためのインタフェースとしても機能する。
【００３１】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００３２】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０８を介してクライアント端末２に送信される情報である。
【００３３】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８及びネットワークを介してクライアント端末２等の他の機器にアクセスする。
【００３４】
ＷＥＢ制御部１６０は、ネットワークを介してクライアント端末２から管理画面を要求された場合の処理を行う。また、ＷＥＢ制御部１６０は、ユーザがクライアント端末２の操作部やディスプレイパネル１０４を操作して画像形成装置１にログインする際の認証処理を行う。
【００３５】
ここで、ＷＥＢ制御部１６０の機能の詳細について、図４を参照して説明する。図４に示すように、本実施形態に係るＷＥＢ制御部１６０は、入出力要求処理部１６１、画面情報記憶部１６２、ユーザ認証処理部１６３及びユーザ情報記憶部１６４を含む。入出力要求処理部１６１は、ＷＥＢ制御部１６０における主制御部１１０とのインタフェースであり、主制御部１１０による制御を受けてその応答を返す。
【００３６】
画面情報記憶部１６２は、画像形成装置１の管理画面を表示するための情報や、ユーザが画像形成装置１にログインする際のログイン画面を表示するための情報等を記憶している。ユーザ認証処理部１６３は、入出力要求処理部１６１からのユーザ認証要求に応じて、ユーザ情報記憶部１６４に記憶されているユーザの情報に基づいて認証処理を行い、結果の応答を返す。ＷＥＢ制御部１６０の機能により、画像形成装置１が画面情報出力装置として機能する。
【００３７】
画像形成装置１がプリンタとして動作する場合は、まず、入出力制御部１５０がネットワークＩ／Ｆ１０８を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報若しくは画像情報に基づいて描画情報を生成する。
【００３８】
画像処理部１３０によって描画情報が生成されると、エンジン制御部１２０は、プリントエンジン１０６を制御し、上記生成された描画情報に基づき、給紙テーブル１０５から搬送される用紙に対して画像形成を実行させる。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００３９】
画像形成装置１がスキャナとして動作する場合は、ユーザによるディスプレイパネル１０４の操作若しくはネットワークＩ／Ｆ１０８を介して外部のクライアント端末２等から入力されるスキャン実行指示に応じて、操作表示制御部１４０若しくは入出力制御部１５０が主制御部１１０にスキャン実行信号を転送する。主制御部１１０は、受信したスキャン実行信号に基づき、エンジン制御部１２０を制御する。
【００４０】
エンジン制御部１２０は、ＡＤＦ１０１を駆動し、ＡＤＦ１０１にセットされた撮像対象原稿をスキャナユニット１０２に搬送する。また、エンジン制御部１２０は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１２０の制御に従い、セットされた原稿を撮像する。即ち、スキャナユニット１０２が撮像部として動作する。
【００４１】
撮像動作においては、スキャナユニット１０２に含まれるＣＣＤ等の撮像素子が原稿を光学的に走査し、光学情報に基づいて生成された撮像情報が生成される。エンジン制御部１２０は、スキャナユニット１０２が生成した撮像情報を画像処理部１３０に転送する。画像処理部１３０は、主制御部１１０の制御に従い、エンジン制御部１２０から受信した撮像情報に基づき画像情報を生成する。画像処理部１３０が生成した画像情報はＨＤＤ４０等の画像形成装置１に装着された記憶媒体に保存される。即ち、スキャナユニット１０２、エンジン制御部１２０及び画像処理部１３０が連動して、画像入力部として機能する。
【００４２】
画像処理部１３０によって生成された画像情報は、ユーザの指示に応じてそのままＨＤＤ４０等に格納され若しくは入出力制御部１５０及びネットワークＩ／Ｆ１０８を介してクライアント端末２等の外部の装置に送信される。
【００４３】
また、画像形成装置１が複写機として動作する場合は、エンジン制御部１２０がスキャナユニット１０２から受信した撮像情報若しくは画像処理部１３０が生成した画像情報に基づき、画像処理部１３０が描画情報を生成する。その描画情報に基づいてプリンタ動作の場合と同様に、エンジン制御部１２０がプリントエンジン１０６を駆動する。尚、描画情報と撮像情報との情報形式が同一である場合は、撮像情報をそのまま描画情報として用いることも可能である。
【００４４】
また、画像形成装置１がファクシミリとして動作する場合は、まず、スキャナ動作の場合と同様に画像処理部１３０によって画像情報が生成される。そして、主制御部１１０が入出力制御部１５０を制御し、ＦＡＸ送信を実行させる。ＦＡＸ送信に際しては、入出力制御部１５０が、主制御部１１０の制御に従い、ネットワークＩ／Ｆ１０８のうちＦＡＸモデムの機能を駆動して指定された送信先に画像を送信する。
【００４５】
次に、本実施形態に係るクライアント端末２の機能構成について、図５を参照して説明する。図５は、本実施形態に係るクライアント端末２の機能構成を示すブロック図である。図５に示すように、本実施形態に係るクライアント端末２は、図２において説明したＬＣＤ６０及び操作部７０に加えて、コントローラ２００、ネットワークＩ／Ｆ２０１を含む。また、コントローラ２００は、ブラウザアプリ２１０、入出力制御部２２０及び表示制御部２３０を含む。
【００４６】
ネットワークＩ／Ｆ２０１は、画像形成装置１と同様に、クライアント端末２がネットワークを介して画像形成装置１等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００４７】
コントローラ２００は、画像形成装置１と同様に、ソフトウェアとハードウェアとの組み合わせによって構成される。ブラウザアプリ２１０は、クライアント端末２にインストールされたソフトウェア・プログラムがＲＡＭ２０にロードされ、ＣＰＵ１０がそのプログラムに従って動作することにより実現されるものであり、ネットワークを介して取得されたＨＴＭＬ（Ｈｙｐｅｒ  Ｔｅｘｔ  Ｍａｒｋｕｐ  Ｌａｎｇｕａｇｅ）の情報等に基づいてウェブサイトを表示する。ブラウザアプリ２１０は、操作部７０を介して入力されるユーザの指示に応じて動作する。
【００４８】
入出力制御部２２０は、ネットワークＩ／Ｆ２０１を介して入力される情報をブラウザアプリ２１０に入力する。また、ブラウザアプリ２１０は、入出力制御部２２０を制御し、ネットワークＩ／Ｆ２０１及びネットワークを介して画像形成装置１等の他の機器にアクセスする。表示制御部２３０は、ブラウザアプリ２１０が出力する画面の状態に基づき、ブラウザアプリ２１０のＧＵＩ（Ｇｒａｐｈｉｃａｌ  Ｕｓｅｒｔ  Ｉｎｔｅｒｆａｃｅ）をＬＣＤ６０に表示する。
【００４９】
このような画像形成装置１及びクライアント端末２を含むシステムにおいて、本実施形態に係る要旨は、クライアント端末２においてウェブサイトを表示する際に、コントローラ２００やブラウザアプリ２１０の設定に関わらず、情報の欠落を防ぐことにある。ここで、本実施形態に係るコントローラ２００やブラウザアプリ２１０の設定とは、ウェブサイトの表示に際して、スタイルシートを無視するか否かの設定である。
【００５０】
ＨＴＭＬを用いたウェブサイトの表現においては、スタイルシート内において表示するべき画像を指定する場合があり得る。この場合、スタイルシートを無視してウェブサイトを表示すると、スタイルシート内において指定されていた表示するべき画像が表示されず、情報が欠落したウェブサイトが表示されてしまう。このような情報の欠落を防ぐことが本実施形態に係る要旨である。尚、本実施形態においては、表示対象のウェブサイトとして画像形成装置１の管理画面を例として説明するが、インターネット上で公開されるウェブサイトであっても適用可能である。
【００５１】
図６（ａ）は、本実施形態に係る画像形成装置１の管理画面であって、スタイルシートが有効である場合に表示される画面の例を示す図である。図６（ａ）に示すように、“ホーム”、“カスタマイズ”、“ジョブ／レポート／ログ”、“設定／管理”等のメインのメニューがタブ上に配置されており、選択されているタブに含まれるサブメニューが表示されている。更に、各種の設定項目等が、アイコンを用いて表示されると共に、レイアウトされて表示されている。
【００５２】
図６（ｂ）は、本実施形態に係る画像形成装置１の管理画面であって、スタイルシートが無効である場合に表示される画面の例を示す図である。図６（ｂ）に示すように、タブ形式等のレイアウトは解除され、図６（ａ）において表示されていたアイコン等は非表示となって、全ての情報が箇条書きの文字によって表示されている。
【００５３】
ここで、図６（ａ）においては、“ａｄｍｉｎ”という文字情報の横に管理者権限でのログイン状態であることを示す星のマークが表示されているが、図６（ｂ）においては、“ａｄｍｉｎ”の文字の直上に、“機器管理者、ユーザ管理者、文書管理者、監査者”の文字が表示されている。即ち、図６（ａ）の画面（以降、レイアウト形式画面とする）においては、表示されていなかった文字情報が、図６（ｂ）の画面（以降、テキスト形式画面とする）に表示されている。これが、本実施形態に係る要旨の１つである。
【００５４】
管理者権限でのログイン状態であることを示す星のマークは、上述したように、スタイルシートにおいて画像の表示及び表示するべき画像の格納場所が指定されている。従って、スタイルシートが無効化されたテキスト形式画面には、図６（ａ）において表示されている星のマークは表示されない。これに対して、図６（ｂ）のテキスト形式画面においては、上記星のマークの代替として、権限を示す情報が“機器管理者、ユーザ管理者、文書管理者、監査者”として文字情報にて表示されている。これにより、星のマークが表示されないことによる情報の欠落が回避されている。
【００５５】
このような表示は、本実施形態に係る画像形成装置１の管理画面の表示態様を記述している情報（以降、管理画面記述情報とする）によって実現されている。図７（ａ）、（ｂ）に、本実施形態に係る管理画面記述情報の一部の例を示す。図７（ａ）は、本実施形態に係る管理画面記述情報の基本的な情報であるＨＴＭＬの本文を示す図である。また、図７（ｂ）は、本実施形態に係る管理画面記記述情報によって表示される管理画面の表示形式を指定するＣＳＳ（Ｃａｓｃａｄｅ  Ｓｔｙｌｅ  Ｓｈｅｅｔ）の記述内容を示す図である。尚、ＣＳＳの記述内容は、図７（ａ）に示すＨＴＭＬの内部に記述されていても、ＨＴＭＬとは別のファイルとして記述されていても良い。
【００５６】
本実施形態において、ＨＴＭＬは、主として画面に表示するべき内容の情報が記述された情報である。他方ＣＳＳは、主として画面の表示形式の情報が記述された情報である。図７（ａ）に示すように、“機器管理者、ユーザ管理者、文書管理者、監査者”の情報として、“ＧＮ−００４３−００５ｎ”のスタイルシートが呼び出されている。これが、ＣＳＳにおける記述を指定する情報である。また、“機器管理者、ユーザ管理者、文書管理者、監査者”の情報には、“＜ｓｐａｎ＞”というタグで区分けされた情報があり、その情報には、“機器管理者、ユーザ管理者、文書管理者、監査者”という文字情報が記述されている。これが、画面上の特定の領域に表示するべき内容の情報として、所定の識別子が付された情報である。
【００５７】
一方、図７（ｂ）に示すように、“ＧＮ−００４３−００５ｎ”のスタイルシートにおいては、ＨＴＭＬからの指定を受けるための文字列に加えて、画像情報が格納されているＵＲＬ（Ｕｎｉｆｏｒｍ  Ｒｅａｏｕｒｃｅ  Ｌｏｃａｔｏｒ）が記述されていると共に、表示される画像のサイズ等が指定されている。この画像情報が、図６（ａ）に示す星のマークの画像情報である。これが、画面の特定の領域における表示を指定する情報である。更に、同スタイルシートにおいては、“ｓｐａｎ｛ｄｉｓｐｌａｙ：ｎｏｎｅ；｝”というように、“＜ｓｐａｎ＞”タグで区分けされた情報を表示しないことが指定されている。これが、上述した所定の識別子が付された情報を被表示とする命令である。
【００５８】
このような管理画面記述情報により、ブラウザアプリ２１０において画像形成装置１の管理画面を表示する際、スタイルシートが有効である場合は、図６（ａ）に示すように、星のマークが表示されると共に“機器管理者、ユーザ管理者、文書管理者、監査者”といった文字情報は表示されない。他方、スタイルシートが無効である場合は、図６（ｂ）に示すように、星のマークが表示されない代わりに“機器管理者、ユーザ管理者、文書管理者、監査者”といった文字情報が表示される。また、ＣＳＳにおいて指定されている文字サイズ等は無視される。これにより、ウェブサイトの表示態様が記述された情報を無視した場合に発生する情報の欠落をふせぐことができる。
【００５９】
次に、本実施形態に係るシステムの動作について、図８を参照して説明する。図８は、本実施形態に係るシステムの動作を示すシーケンス図である。図８に示すように、まず、ブラウザアプリ２１０が、ユーザによる操作部７０を介した命令に基づき、入出力制御部２２０及びネットワークＩ／Ｆ２０１を介して画像形成装置１に管理画面を要求する（Ｓ８０１）。画像形成装置１においては、ネットワークＩ／Ｆ１０８、入出力制御部１５０を介してＷＥＢ制御部１６０の入出力要求処理部１６１が画面要求を受け、指定された画面の情報を画面情報記憶部１６２に要求する（Ｓ８０２）。
【００６０】
画面情報記憶部１６２は、入出力要求処理部１６１からの要求に基づき、指定された画面の画面記述情報を出力する（Ｓ８０３）。入出力要求処理部１６１は、画面情報記憶部１６２が出力した画面記述情報をクライアント端末２に送信する（Ｓ８０４）。即ち、入出力要求処理部１６１が、画面情報出力部として機能する。クライアント端末２においては、ネットワークＩ／Ｆ２０１及び入出力制御部２２０を介してブラウザアプリ２１０が画面記述情報を取得する。
【００６１】
ブラウザアプリ２１０は、画面記述情報を取得すると、図６（ａ）、（ｂ）及び図７（ａ）、（ｂ）において説明したように画面記述情報の記述を解釈する。この際、ブラウザアプリ２１０は、コントローラ２００若しくはブラウザアプリ２１０におけるスタイルシートの有効／無効の設定に基づいて画面記述情報を解釈し、その解釈に従って管理画面を表示するための表示情報を生成する（Ｓ８０５）。
【００６２】
ブラウザアプリ２１０は、表示情報を生成すると、生成した表示情報に基づいて表示制御部２３０に管理画面を表示させ（Ｓ８０６）、処理を終了する。このような処理により、本実施形態に係るシステムにおけるウェブサイトの表示処理が完了する。
【００６３】
尚、本実施形態においては、画像形成装置１の管理画面をクライアント端末２において表示する場合を例としたため、スタイルシートの有効／無効の判断は、クライアント端末２にインストールされたブラウザアプリ２１０が行う態様について説明した。この他、画像形成装置１のディスプレイパネル１０４において、画像形成装置１の管理画面を表示させる場合であっても、上記と同様の機能を用いることが可能である。この場合、画像形成装置１のコントローラ１００において、上記ブラウザアプリ２１０に相当する機能を有する構成を設けることにより、上記と同様に実現可能である。
【００６４】
実施の形態２．
本実施形態においては、実施の形態１において説明したスタイルシートの有効／無効の判断を、ユーザによるログイン処理と関連して制御する態様について説明する。尚、実施の形態１と同一の符号を付す構成については、同一または相当部を示すものとし、詳細な説明を省略する。
【００６５】
図９は、本実施形態に係る画像形成装置１におけるＷＥＢ制御部１６０の機能構成を示すブロック図である。図９に示すように、本実施形態に係るＷＥＢ制御部１６０は、実施の形態１における構成に加えて、記述情報処理部１６５を含む。記述情報処理部１６５は、ユーザ情報記憶部１６４に記憶されているユーザ毎及び画面毎のスタイルシート有効／無効の情報に基づき、画面情報記憶部１６２から読み出した画面記述情報の変換処理を行う。即ち、記述情報処理部１６５は、表示形式情報管理情報取得部として機能すると共に、入出力要求処理部１６１と連動して画面情報出力部として機能する。
【００６６】
図１０は、ユーザ情報記憶部１６４に記憶されているユーザ毎及び画面毎のスタイルシート有効／無効の情報を示す図である。図１０に示すように、本実施形態に係るユーザ情報記憶部１６４は、画像形成装置１にログイン可能なユーザとして登録されているユーザ毎に、画面情報記憶部１６２に記憶されている画面夫々についてのスタイルシートの有効／無効の設定情報を記憶している。このように、本実施形態においては、ユーザ情報記憶部１６４に、表示形式情報であるスタイルシートが有効であるか無効であるかを示す表示形式情報管理情報が格納されている。
【００６７】
このような構成により、本実施形態に係る要旨は、ユーザがクライアント端末２を操作して画像形成装置１にログインした上で、画像形成装置１の管理画面の表示を要求した場合に、画像形成装置１の記述情報処理部１６２が、夫々のユーザの設定に沿った形式に画面記述情報を変換した上でクライアント端末２に画面記述情報を提供することにある。クライアント端末２のコントローラ２００若しくはブラウザアプリ２１０の設定を変更してスタイルシートを無効にすると、画像形成装置１の管理画面に限らず、ブラウザアプリ２１０を用いて表示する全てのウェブサイトについて、スタイルシートが無効となってしまうが、本実施形態に係る態様により、任意の画面のみをテキスト形式にすることができる。
【００６８】
図１１は、本実施形態に係るシステムの動作を示すシーケンス図である。図１１においては、クライアント端末２を操作しているユーザが、画像形成装置１にログインしている
ことが前提である。図１１に示すように、ブラウザアプリ２１０による画面の要求が入出力要求処理部１６１に入力されると（Ｓ１１０１）、入出力要求処理部１６１は、記述情報処理部１６２に対して画面を要求する（Ｓ１１０２）。尚、本実施形態に係る画面要求には、クライアント端末２を介して画像形成装置１にログインしているユーザのユーザＩＤの情報が含まれる。
【００６９】
記述情報処理部１６２は、画面要求を取得すると、要求された画面の画面記述情報を画面情報記憶部１６２から取得する（Ｓ１１０３）と共に、画面を要求したユーザのユーザ情報を確認し（Ｓ１１０４）、要求された画面についてのスタイルシートの有効／無効を確認する。そして、記述情報処理部１６２は、スタイルシートの有効／無効を確認した結果に応じて、画面記述情報を変換して出力する（Ｓ１１０５）、
【００７０】
Ｓ１１０５において、記述情報処理部１６２は、スタイルシートの有効／無効の確認結果が有効であれば、そのまま画面記述情報を出力する。他方、スタイルシートの有効／無効の確認結果が無効であれば、記述情報処理部１６２は、画面記述情報からスタイルシートの部分及びスタイルシートの指定の部分を削除して出力する。Ｓ１１０６〜Ｓ１１０８においては、図８のＳ８０４〜Ｓ８０６と同様の処理が実行される。
【００７１】
ここで、Ｓ１１０４の確認の結果、スタイルシートが無効であった場合、Ｓ１１０７においては、クライアント端末２においてスタイルシートが有効になっていたとしても、Ｓ１１０５の処理によりスタイルシートについての記述は削除されているため、スタイルシートが無効に設定されている場合と同様に図６（ｂ）のような画面が表示される。このような処理により、本実施形態に係るシステムの動作が完了する。
【００７２】
以上、説明したように、本実施形態に係るシステムによれば、クライアント端末２におけるスタイルシートの有効／無効の設定を変更することなく、ウェブサイトの画面毎にスタイルシートの有効／無効を切り替えることができる。
【００７３】
尚、ＯＳ等におけるハイコントラストモードによってスタイルシートが無効とされる場合、無効にするスタイルシートと有効にするスタイルシートとをＯＳが独自に判断している。従って、何れのスタイルシートが無効となるのか判断することが難しく、結果的に、意図した画面が表示されるようにウェブサイトを作成することが困難である。
【００７４】
これに対して、本実施形態に係るシステムにおいては、スタイルシートを無効にする設定の場合、Ｓ１１０５において、画面記述情報に含まれる全てのスタイルシートが無効となる様に画面記述情報が変換される。従って、サイト作成者は、全てのスタイルシートが有効である場合の画面及び全てのスタイルシートが無効である場合の画面のみを意識してウェブサイトを作成すれば良いため、意図した画面が表示されるようにウェブサイトを作成することが容易である。
【００７５】
また、上記実施形態においては、Ｓ１１０５において、スタイルシートについての記述を削除する態様を例として説明したが、これは一例である。即ち、Ｓ１１０５においては、スタイルシートについての記述を削除する態様に限らず、Ｓ１１０７の処理の結果、スタイルシートが無効化された画面が表示されるように画面記述情報が変換されれば良い。
【００７６】
実施の形態３．
本実施形態においては、実施の形態１において説明したスタイルシートの有効／無効の判断を、クライアント装置２におけるＣｏｏｋｉｅに格納された情報に基づいて行う態様について説明する。尚、実施の形態１と同一の符号を付す構成については、同一または相当部を示すものとし、詳細な説明を省略する。
【００７７】
図６（ａ）において“テキスト形式”と示されているのは、レイアウト形式画面において、テキスト形式画面を表示すること、即ち、スタイルシートを無効にすることを、ユーザがブラウザアプリ２１０に命令するためのインタフェースである。即ち、ユーザがマウス等のポインティングデバイスを操作して、図６（ａ）に“テキスト形式”と示されている部分をクリックすると、ブラウザアプリ２１０は、図８のＳ８０５の処理を、スタイルシートが無効であるものとして再度行い、テキスト形式画面を表示する。
【００７８】
この際、本実施形態に係るブラウザアプリ２１０は、表示中の画面についてのスタイルシートの有効／無効を示す情報をＣｏｏｋｉｅに格納する。スタイルシートの有効／無効を示す情報をＣｏｏｋｉｅに格納するようにブラウザアプリ２１０を動作させる命令は、表示されている画面の画面記述情報に含まれており、その画面記述情報に基づいて表示された画面において上述した操作が行われた場合に、ブラウザアプリ２１０は、スタイルシートの有効／無効を示す情報をＣｏｏｋｉｅに格納する。図１２に、本実施形態に係るブラウザアプリ２１０のＣｏｏｋｉｅに記憶される情報の例を示す。
【００７９】
図１２に示すように、本実施形態に係るブラウザアプリ２１０は、画像形成装置１から取得して一度表示した画面夫々についてのスタイルシートの有効／無効の設定情報をＣｏｏｋｉｅに記憶している。このような構成により、本実施形態に係る要旨は、ブラウザアプリ２１０において一度表示した画面について、再度表示する場合に、過去に設定したスタイルシートの有効／無効を自動的に適用することによってユーザの利便性を向上することにある。
【００８０】
図１３は、本実施形態に係るシステムの動作を示すシーケンス図である。Ｓ１３０１〜Ｓ１３０４までは図８のＳ８０１〜Ｓ８０４と同様に処理が実行される。ブラウザアプリ２１０は、画面記述情報を取得すると、Ｃｏｏｋｉｅを参照し（Ｓ１３０５）、表示する画面についてのスタイルシートの有効／無効を確認する。そして、ブラウザアプリ２１０は、Ｓ１３０５において確認したスタイルシートの設定に従って画面記述情報を解釈し、その解釈に従って管理画面を表示するための表示情報を生成する（Ｓ１３０６）。その後、ブラウザアプリ２１０は、生成した表示情報に基づいて表示制御部２３０に管理画面を表示させ（Ｓ８０６）、処理を終了する。このような処理により、本実施形態に係るシステムにおけるウェブサイトの表示処理が完了する。
【００８１】
Ｓ１３０５及びＳ１３０６のような処理を実行させる命令、即ち、画面記述情報に基づいて表示情報を生成する際に、Ｃｏｏｋｉｅを参照させる命令及びＣｏｏｋｉｅにおけるスタイルシートの有効／無効の設定に従って画面記述情報を解釈して表示情報を生成させる命令は、画面記述情報に含まれている。従って、ブラウザアプリ２１０は、上述したＣｏｏｋｉｅへの情報の格納時と同様に、画面記述情報に含まれるこれらの命令に従ってＳ１３０５及びＳ１３０６の処理を実行する。
【００８２】
尚、本実施形態においては、図１２に示すように、夫々の画面毎にスタイルシートの有効／無効を設定可能な場合を例として説明したが、これに限らず、全画面に対するスタイルシートの設定を共通としても良い。これにより、全画面に対する設定を共通としたい場合において画面毎にスタイルシートの設定を行う手間を省くことができる。
【００８３】
また、本実施形態においても、スタイルシートを無効にする設定の場合、Ｓ１３０６において、画面記述情報に含まれる全てのスタイルシートが無効となる様に画面記述情報が解釈されて表示情報が生成される。従って、サイト作成者は、全てのスタイルシートが有効である場合の画面及び全てのスタイルシートが無効である場合の画面のみを意識してウェブサイトを作成すれば良いため、意図した画面が表示されるようにウェブサイトを作成することを容易化することができる。
【００８４】
また、本実施形態においては、ブラウザアプリ２１０がＣｏｏｋｉｅに格納した情報に従って、ブラウザアプリ２１０がＳ１３０６においてスタイルシートの有効／無効に応じた画面の表示情報を生成する場合を例として説明したが、実施の形態２における記述情報処理部１６５を用いることも可能である。即ち、ブラウザアプリ２１０は、画像形成装置１に対して画面を要求する際、Ｃｏｏｋｉｅの情報を参照し、要求する画面についてのスタイルシートの有効／無効の情報をも通知する。これにより、画像形成装置１側においては、図１１のＳ１１０５の処理のように、記述情報処理部１６２が、ブラウザアプリ２１０から通知されたスタイルシートの有効／無効の情報に基づき、画面記述情報を変換することができる。
【符号の説明】
【００８５】
１、１ａ、１ｂ、１ｃ  画像形成装置、
２、２ａ、２ｂ  クライアント端末、
１０  ＣＰＵ、
２０  ＲＡＭ、
３０  ＲＯＭ、
４０  ＨＤＤ、
５０  Ｉ／Ｆ、
６０  ＬＣＤ、
７０  操作部、
８０  バス、
１００  コントローラ、
１０１  ＡＤＦ、
１０２  スキャナユニット、
１０３  排紙トレイ、
１０４  ディスプレイパネル、
１０５  給紙テーブル、
１０６  プリントエンジン、
１０７  排紙トレイ、
１０８  ネットワークＩ／Ｆ、
１１０  主制御部、
１２０  エンジン制御部、
１３０  画像処理部、
１４０  操作表示制御部、
１５０  入出力制御部、
１６０  ＷＥＢ制御部、
１６１  入出力要求処理部、
１６２  画面情報記憶部、
１６３  ユーザ認証処理部、
１６４  ユーザ情報記憶部、
１６５  記述情報処理部、
２００  コントローラ、
２０１  ネットワークＩ／Ｆ、
２１０  ブラウザアプリ、
２２０  入出力制御部、
２３０  表示制御部
【先行技術文献】
【特許文献】
【００８６】
【特許文献１】特開２００４−２１８３８号公報
【図１】
2012014626.tif 000003
【図２】
2012014626.tif 000004
【図３】
2012014626.tif 000005
【図４】
2012014626.tif 000006
【図５】
2012014626.tif 000007
【図６】
2012014626.tif 000008
【図７】
2012014626.tif 000009
【図８】
2012014626.tif 000010
【図９】
2012014626.tif 000011
【図１０】
2012014626.tif 000012
【図１１】
2012014626.tif 000013
【図１２】
2012014626.tif 000014
【図１３】
2012014626.tif 000015